(57)【要約】【課題】筐体内のスロット部から取り外したプリント基板またはそのスロット部に収容されるべきプリント基板を、筐体の一部として使用している部材を活用して、安定かつ容易に一時的に保持することができる電気機器の筐体構造を提供する。【解決手段】筐体の内部にプリント基板（２）が収容される収容スロット部を有するとともに、その筐体には取外し可能なフロントカバー（１）が備えられた電気機器の筐体構造である。フロントカバー（１）が筐体から取外しされた場合において、プリント基板（２）が筐体の内部の収容スロット部から取り出されたとき、又は、別のプリント基板を収容スロット部に取付け収容しようとするときに、プリント基板（２）を電気的擾乱を与えない安定した状態で一時的に保持するための保持構造体（３）が、該フロントカバーの裏面上に、設けられている。【選択図】      図２
2005332921.tif 000002
【特許請求の範囲】
【請求項１】
筐体の内部に少なくとも一枚のプリント基板が収容される収容スロット部を有するとともに、該筐体には取外し可能なフロントカバーが備えられた電気機器の筐体構造であって、
前記フロントカバーが前記筐体から取外しされた場合において、前記少なくとも一枚のプリント基板が前記筐体の内部の前記収容スロット部から取り出されたとき、又は、少なくとも一枚の別のプリント基板を当該収容スロット部に取付け収容しようとするときに、当該少なくとも一枚のプリント基板を電気的擾乱を与えない安定した状態で一時的に保持するための保持構造体が、該フロントカバーの裏面上に、設けられた電気機器の筐体構造。
【請求項２】
前記保持構造体は、前記少なくとも一枚のプリント基板を前記フロントカバーの裏面から略直立する姿勢で保持するように設けられていることを特徴とする請求項１に記載の電気機器の筐体構造。
【発明の詳細な説明】
【技術分野】
【０００１】
本発明は、通信機器等の電気部品の筐体構造に関するものである。
【背景技術】
【０００２】
従来の通信交換機の如き電気機器は、筐体内にスロット部を有し、プリント基板を実装しているが、保守作業において実装したプリント基板を取り外す必要が生じた場合に、一時的に収容保持が可能なスペースを具備しておらず、別途作業者が置き台等の保守専用ツールを用いて収容保持をしなければならない不便さがあった。又、複数枚のプリント基板を同時に取り外す場合もあり、そのための別の作業スペースを確保する必要もあった。
通信交換機の設置環境は様々であり、保守作業者が作業をするスペースを充分に確保出来るとは限らない。
【０００３】
このような従来技術の欠点を解消するために、ラック内のシャーシに格納されたプリント基板を引き出したときに、プリント基板がシャーシに保持されて搭載部品のチェックができるようにしたプリント基板保持構造が提案されている（特許文献１参照）。
【特許文献１】特開２００３−１８８５５９号公報
【発明の開示】
【発明が解決しようとする課題】
【０００４】
しかしながら、この従来例では、引き出されたプリント基板は、シャーシ内に保持された状態で停止するので、シャーシの外に完全に引き出すことはできない。従って、プリント基板を外部に引き出して、チェック機器に装着して良否を判定して、不良と判定されたプリント基板を交換する等の作業を行うことができず、また、ある特定のプリント基板を外部に取り出し、そのプリント基板が配置されていたシャーシもしくは筐体内スペースにおける部品，部材の配置状態もしくは機能の良否状態等をチェックすることはできない。
【０００５】
本発明は、筐体内のスロット部から取り外したプリント基板またはそのスロット部に収容されるべきプリント基板を、筐体の一部として使用している部材を活用して、安定かつ容易に一時的に保持することができる電気機器の筐体構造を提供するものである。
【課題を解決するための手段】
【０００６】
この課題を解決するために、本発明による電気機器の筐体構造は、筐体の内部に少なくとも一枚のプリント基板が収容される収容スロット部を有するとともに、該筐体には取外し可能なフロントカバーが備えられた電気機器の筐体構造であって、
前記フロントカバーが前記筐体から取外しされた場合において、前記少なくとも一枚のプリント基板が前記筐体の内部の前記収容スロット部から取り出されたとき、又は、少なくとも一枚の別のプリント基板を当該収容スロット部に取付け収容しようとするときに、当該取り出された少なくとも一枚のプリント基板を電気的擾乱を与えない安定した状態で一時的に保持するための保持構造体が、該フロントカバーの裏面上に、設けられた構成を有している。
前記保持構造体は、前記少なくとも一枚のプリント基板を前記フロントカバーの裏面から略直立する姿勢で保持するように設けることができる。
【発明の効果】
【０００７】
本発明によれば、保守作業時に専用ツールを用意することなく、限られた作業スペース内でプリント基板を保守交換することが容易になり、省スペースを実現し、さらに、作業時間，作業ツールを効率よく削減することが出来る。
【発明を実施するための最良の形態】
【０００８】
図１は、電気機器の１例としての通信交換機本体を示し、図２は本発明の一実施例である。
これらの図において、１ａはフロントカバー（樹脂成形品）、２はプリント基板、３は保持構造体として用いられるガイドレール部材である。プリント基板２は、電気機器内の収容スロット部（図示せず）から取り外したものか、または、その収容スロット部に実装されようとする新たなプリント基板である。保守作業を実施する時に外したフロントカバー１ａの裏面にガイドレール部材３が複数箇所設けられており、通信交換機筐体内から取り外したプリント基板２もしくは保守交換用の別のプリント基板をガイドレール部材３の案内溝に沿って上から差し込んで直立させる。
【０００９】
図３は本発明の別の実施例である。
１ｂはフロントカバー（金属板加工品）、２はプリント基板、３はガイドレール部材（保持構造体）である。
フロントカバー１ｂ（金属板加工品）が図２のフロントカバー１ａ（樹脂成形品）であることを除き、他は図２の実施例と同様である。
【００１０】
以上のように、外装として使用しているフロントカバー１はプリント基板２の保守交換時には必ず外し、そのフロントカバー１は保守作業中において不要な部品であり、別途一時保管するスペースが必要となる。本発明ではそのフロントカバー１の裏面を作業スペースの一部として利用し、効率的に作業スペースを確保することが出来る。裏面にはプリント基板２を直立することが出来る溝状の保持構造体を設けている。この場合、電気的な擾乱を与える障害を回避するために、保持構造体は絶縁物よりなるものでなければならない。フロントカバー１が樹脂成形品の場合には一体化で実現することが出来る。又、フロントカバー１が金属板加工品の場合でも別パーツで樹脂成形品を構成させることにより実現することができる。
フロントカバー１がその通信交換機の専用部品であるため、実装するプリント基板サイズに適応した有効的な保持形状の配置をすることが可能である。
【産業上の利用可能性】
【００１１】
本発明は、筐体の内部にプリント基板が収容され、その筐体には取外し可能なフロントカバーが備えられた電気機器に適用可能である。
【図面の簡単な説明】
【００１２】
【図１】本発明の実施例を示す外観斜視図である。
【図２】本発明の実施例であるフロントカバー構造を示す斜視図である。
【図３】本発明の他の実施例であるフロントカバー構造を示す斜視図である。
【符号の説明】
【００１３】
１，ａ，１ｂ  フロントカバー
２  プリント基板
３  ガイドレール部材（保持構造体）
【図１】
2005332921.tif 000003
【図２】
2005332921.tif 000004
【図３】
2005332921.tif 000005